(57)【要約】【課題】戸パネルが乱暴に閉じ操作されるような場合でも、戸パネルが戸枠に衝突するのを防止して、衝突騒音の発生や指詰を防止できる引戸の閉じ支援装置を提供する。【解決手段】自閉機構とエアーダンパー９とを備えている。自閉機構は、往復動する連動ピース４１と、連動ピース４１を閉じ付勢するアシストばね４２と、連動ピース４１を連結待機姿勢と連結姿勢とに切り換える切換体４３とを含む。連動ピース４１は、切換体４３の操作ピン６１が係脱できる連結溝４９と、内枠４０の掛止部５７と係脱する掛止片４７とを有する。所定位置において掛止片４７が掛止部５７と係止して、連動ピース４１を連結待機姿勢に位置保持する。戸パネル１を閉じるとき、操作ピン６１が連結溝４９と係合して連動ピース４１を連結姿勢に切り換えると、掛止片４７が掛止部５７から離脱して、戸パネル１を強制的に閉じ操作でき、同時にエアーダンパー９で閉じ動作を制動できる。【選択図】図１
2006083569.tif 000002
【特許請求の範囲】
【請求項１】
戸パネル（１）とガイドレール（２）との間に設けられて、戸パネル（１）を閉じ端寄りの所定位置から強制的に閉じ操作する自閉機構と、自閉機構の閉じ操作力に抗して戸パネル（１）を制動するエアーダンパー（９）とを備えており、
自閉機構は、ガイドレール（２）に設けた内枠（４０）で往復移動可能に案内支持される連動ピース（４１）と、連動ピース（４１）を前記所定位置から閉じ位置へ向かって移動付勢するアシストばね（４２）と、戸パネル（１）と同行移動して連動ピース（４１）の姿勢を連結待機姿勢と連結姿勢とに切り換え操作する切換体（４３）とを含み、
連動ピース（４１）は、切換体（４３）の操作ピン（６１）が係脱できる連結溝（４９）と、内枠（４０）に設けた掛止部（５７）に係脱する掛止片（４７）とを備えており、
前記所定位置において掛止片（４７）が掛止部（５７）と係止することにより、連動ピース（４１）がアシストばね（４２）の付勢力に抗して連結待機姿勢に保持されており、
戸パネル（１）の閉じ動作に連動して、操作ピン（６１）が連結溝（４９）と係合して連動ピース（４１）を連結姿勢に切り換えることにより、掛止片（４７）を掛止部（５７）から離脱させて、戸パネル（１）をアシストばね（４２）の付勢力で強制的に閉じ操作でき、
アシストばね（４２）の付勢力とエアーダンパー（９）の制動力とが同時に作用する状態で、戸パネル（１）を強制的にゆっくりと閉じ操作することを特徴とする引戸の閉じ支援装置。
【請求項２】
ガイドレール（２）が、戸パネル（１）を開閉自在に案内する第１レール（２Ａ）と、第１レール（２Ａ）の一側に設けられる第２レール（２Ｂ）とを含み、
第１レール（２Ａ）の内部に、エアーダンパー（９）と戸パネル（１）のランナー（５）とが配置され、第２レール（２Ｂ）の内部に自閉機構が配置してある請求項１記載の引戸の閉じ支援装置。
【請求項３】
内枠（４０）が、アシストばね（４２）を収容する第１枠（５２）と、第１枠（５２）と共に第２レール（２Ｂ）に締結固定される第２枠（５３）とを含み、
連動ピース（４１）は、周縁に連結溝（４９）が形成してある基板（４５）と、基板（４５）の片面に突設したアシストばね（４２）用の掛止ピン（４６）と、他面に形成した掛止片（４７）、およびスライド突起（４８）とを一体に備えており、
第１枠（５２）に掛止ピン（４６）の往復スライドを許すピン溝（５４）が形成されており、
第２枠（５３）に掛止片（４７）およびスライド突起（４８）を移行案内するガイドリブ（５６）が形成され、ガイドリブ（５６）に掛止片（４７）を係止固定する掛止部（５７）が形成されている請求項２記載の引戸の閉じ支援装置。
【請求項４】
アシストばね（４２）の一端が掛止ピン（４６）に、他端が第１枠（５２）に締結固定したばね止具（５１）にそれぞれ装着されており、
第１枠（５２）に、ばね止具（５１）の締結位置を変更するための調整溝（５５）が設けられており、
ばね止具（５１）の第１枠（５２）に対する締結位置を変更することにより、アシストばね（４２）の張力を大小に変更することができる請求項３記載の引戸の閉じ支援装置。
【請求項５】
引戸が、戸パネル（１）と、戸パネル（１）の下端に装着されてガイドレール（３）で移行案内される複数個の戸車（４）と、戸パネル（１）の上端に装着されてガイドレール（２）で案内支持される複数個のランナー（５）とを含み、
ランナー（５）が、ガイドレール（２）で開閉スライド自在に案内支持されるランナー本体（５Ａ）と、戸パネル（１）に装着固定される連結ブロック（５Ｂ）とを含み、
ランナー本体（５Ａ）と連結ブロック（５Ｂ）との間に、戸パネル（１）の開閉方向に沿って互いにスライド係合できる連結凹部（１９）および連結突起（２５）と、両者を分離不能にロック保持するロック凹部（２０）およびロック爪（２７）とが設けられている請求項２から４のいずれかに記載の引戸の閉じ支援装置。
【発明の詳細な説明】
【技術分野】
【０００１】
本発明は、引戸の戸パネルを閉じ端寄りにおいて自動的に閉止できる引戸の閉じ支援装置に関する。
【背景技術】
【０００２】
戸パネルを閉じ端寄りにおいて自動閉止することは、特許文献１に公知である。そこでは、引っ張りばねで閉じ方向へ移動付勢されるスライダーを戸枠に設けてあり、戸パネルを所定位置まで閉じ操作すると、戸パネルとスライダーとが連結されて、戸パネルを引っ張りばねの付勢力で閉じ位置まで閉じ操作できる。スライダーは連結待機姿勢と作動姿勢とに変位でき、戸パネルを開放操作するとき、引っ張りばねの弾性に逆らいながら連結ピンで同行移動操作されて、先の所定位置において連結待機姿勢に保持される。同様の自閉装置は、特許文献２にも開示されているが、スライダーに相当する部材が戸パネル側に設けてあって、その姿勢を戸枠側に設けた連結体で切り換え操作する点が異なる。
【０００３】
本発明では、閉じ移動する戸パネルが戸枠に衝突するのを避けるために、戸パネルと戸枠との間にエアーダンパーを設けるが、この種の自閉装置は特許文献３に公知である。そこでは、定トルク型のばねユニットで閉じ付勢した戸パネルをエアーダンパーで減速し、戸パネルが戸枠に衝突するのを防止している。なお、この種の自閉装置は、開き操作した戸パネルを常に閉じ位置へ戻すことができるが、任意の開放位置において戸パネルを位置保持できないので、例えば病室の引戸や、病院の廊下を仕切る引戸などに用途が限られている。
【０００４】
【特許文献１】特開２００３−２１４０２３号公報（段落番号００３４、図１０）
【特許文献２】特開平１１−２２９７０５号公報（段落番号００３２〜００３７、図７）
【特許文献３】特開２０００−２９１３０５号公報（段落番号００２３、図２）
【発明の開示】
【発明が解決しようとする課題】
【０００５】
特許文献１、２の自閉装置は、戸パネルを手動によって所定位置まで閉じ操作すると、以後は引っ張りばねの付勢力で自動的に閉じ操作できるので、戸パネルが開放状態のまま放置されるのを防止でき、確実に閉じ状態を維持する。しかも、閉じ端寄りの所定範囲を越えて戸パネルを開放操作すると、戸パネルを任意の開放位置に位置保持できるので一般住宅用の引戸や、ウォークインクロゼットの引戸などに使用できる。
【０００６】
しかし、戸パネルを引っ張りばねで閉じ付勢するので、閉じ位置へ向かって加速された戸パネルが戸枠に衝突するのを避けられない。とくに、戸パネルを勢いよく閉めるような場合には、引っ張りばねの付勢力に閉じ操作力が加わるため、戸パネルが戸枠に衝突して跳ね返るのはもちろん、大きな衝突音を生じる。うっかりして戸パネルと戸枠との間に指先を挟んで負傷することもある。
【０００７】
戸パネルの閉じ端寄りにエアーダンパーを付加すると、上記のような戸パネルの衝突を防ぐことはできる。しかし、既に自閉装置が占める空間を避けて、エアーダンパーをいかに配置するかが問題となる。例えば、特許文献３の自閉装置にみられるように、両者を１個のガイドレール内に配置することは可能ではある。しかし、そうするとガイドレールが大形化するため、壁開口や仕切り開口の上下寸法を大きくするか、既製の戸パネルの使用を断念して、特注品の戸パネルを使用せざるをえず、いずれにしてもコストが高く付く。
【０００８】
本発明の目的は、戸パネルを所定位置まで閉じ操作すると、以後はばねの付勢力で戸パネルを自動的に閉じ操作でき、たとえ戸パネルが乱暴に閉じ操作されるような場合であっても、戸パネルが戸枠に衝突するのを防止して、衝突騒音の発生を確実に防止できる閉じ支援装置を提供することにある。本発明の目的は、戸パネルをばねの付勢力に逆らってゆっくりと閉じ操作でき、パネル側端面に指先をあてがったまま戸パネルを閉じ操作するような場合でも、指先を負傷することのなく、安全性に優れた引戸の閉じ支援装置を提供することにある。本発明の目的は、壁開口や仕切り開口の上下寸法を定常寸法に収めて、既製の戸パネルを問題なく使用でき、戸パネルやガイドレールなどを含む全体コストが少なくて済む引戸の閉じ支援装置を提供することにある。本発明の目的は、施工現場における戸パネルの建て込み作業がより少ない手間で簡便に行える引戸の閉じ支援装置を提供することにある。
【課題を解決するための手段】
【０００９】
本発明の閉じ支援装置は、戸パネル１とガイドレール２との間に設けられて、戸パネル１を閉じ端寄りの所定位置から強制的に閉じ操作する自閉機構と、自閉機構の閉じ操作力に抗して戸パネル１を制動するエアーダンパー９とを備えている。
【００１０】
その自閉機構は、ガイドレール２に設けた内枠４０で往復移動可能に案内支持される連動ピース４１と、連動ピース４１を前記所定位置から閉じ位置へ向かって移動付勢するアシストばね４２と、戸パネル１と同行移動して連動ピース４１の姿勢を連結待機姿勢と連結姿勢とに切り換え操作する切換体４３とを含む。
【００１１】
連動ピース４１は、切換体４３の操作ピン６１が係脱できる連結溝４９と、内枠４０に設けた掛止部５７に係脱する掛止片４７とを備えている。前記所定位置において掛止片４７が掛止部５７と係止することにより、連動ピース４１がアシストばね４２の付勢力に抗して連結待機姿勢に保持されている。以て、戸パネル１の閉じ動作に連動して、操作ピン６１が連結溝４９と係合して連動ピース４１を連結姿勢に切り換えることにより、掛止片４７を掛止部５７から離脱させて、戸パネル１をアシストばね４２の付勢力で強制的に閉じ操作し、アシストばね４２の付勢力とエアーダンパー９の制動力とが同時に作用する状態で、戸パネル１を強制的にゆっくりと閉じ操作することを特徴とする。
【００１２】
ガイドレール２は、戸パネル１を開閉自在に案内する第１レール２Ａと、第１レール２Ａの一側に設けられる第２レール２Ｂとを含み、第１レール２Ａの内部に、エアーダンパー９と戸パネル１のランナー５とを配置し、第２レール２Ｂの内部に自閉機構を配置することができる。
【００１３】
内枠４０は、アシストばね４２を収容する第１枠５２と、第１枠５２と共に第２レール２Ｂに締結固定される第２枠５３とを含み、連動ピース４１は、周縁に連結溝４９が形成してある基板４５と、基板４５の片面に突設したアシストばね４２用の掛止ピン４６と、他面に形成した掛止片４７、およびスライド突起４８とを一体に備えており、第１枠５２に掛止ピン４６の往復スライドを許すピン溝５４が形成されており、第２枠５３に掛止片４７およびスライド突起４８を移行案内するガイドリブ５６が形成され、ガイドリブ５６に掛止片４７を係止固定する掛止部５７が形成されている。
【００１４】
アシストばね４２の一端は掛止ピン４６に、他端は第１枠５２に締結固定したばね止具５１にそれぞれ装着し、第１枠５２に、ばね止具５１の締結位置を変更するための調整溝５５を設け、ばね止具５１の第１枠５２に対する締結位置を変更することにより、アシストばね４２の張力を大小に変更することができる。
【００１５】
引戸は、戸パネル１と、戸パネル１の下端に装着されてガイドレール３で移行案内される複数個の戸車４と、戸パネル１の上端に装着されてガイドレール２で案内支持される複数個のランナー５とを含み、ランナー５は、ガイドレール２で開閉スライド自在に案内支持されるランナー本体５Ａと、戸パネル１に装着固定される連結ブロック５Ｂとを含み、ランナー本体５Ａと連結ブロック５Ｂとの間に、戸パネル１の開閉方向に沿って互いにスライド係合できる連結凹部１９および連結突起２５と、両者を分離不能にロック保持するロック凹部２０およびロック爪２７とを設けることができる。
【発明の効果】
【００１６】
本発明では、戸パネル１を閉じ操作する自閉機構と、戸パネル１の閉じ動作を制動するエアーダンパー９などで閉じ支援装置を構成して、戸パネル１を自閉機構で強制的に閉じ操作する一方で、同時にエアーダンパー９で戸パネル１の閉じ動作を制動するので、戸パネル１をアシストばね４２の付勢力に抗してゆっくりと閉じることができる。したがって、本発明の閉じ支援装置によれば、たとえ戸パネル１が乱暴に閉じ操作されるような場合でも、戸パネル１が戸枠に衝突するのを防止して、衝突騒音の発生を確実に防止し、戸パネル１が跳ね返ることもない。誤ってパネル側端面に指先をあてがったまま戸パネル１を閉じ操作する場合でも、指先を負傷することがなく、閉じ支援装置の安全性を向上できる。
【００１７】
連動ピース４１、アシストばね４２、および連動ピース４１の姿勢を切り換え操作する切換体４３などで自閉機構を構成し、戸パネル１と同行移動する切換体４３で連動ピース４１を連結待機姿勢から連結姿勢に切り換えることにより、所定位置まで閉じ操作された戸パネル１をアシストばね４２の付勢力で強制的に閉じ操作し、同時にエアーダンパー９の制動作用で戸パネル１の移動をゆっくりとした動作にするので、戸パネル１を閉じ位置まで操作する手間を省きながら、その跳ね返りを確実に防止できる。戸パネル１を開放操作するときは、連動ピース４１を切換体４３で連結姿勢から連結待機姿勢に切り換えて、内枠４０の掛止部５７に掛止し、アシストばね４２の付勢力を内枠４０に負担させ、同時に連動ピース４１と切換体４３との連結状態を解除するので、以後は戸パネル１の開閉操作を自由に行えるうえ、任意の開放位置において戸パネル１を停止保持でき、閉じ支援装置の適用対象を拡大できる。例えば、一般住宅用の引戸や、ウォークインクロゼットの引戸などに好適な閉じ支援装置とすることができる。
【００１８】
戸パネル１を開閉自在に案内する第１レール２Ａと、第１レール２Ａの一側に設けられる第２レール２Ｂとでガイドレール２を構成し、第１レール２Ａの内部に、エアーダンパー９と戸パネル１のランナー５とを配置し、第２レール２Ｂの内部に自閉機構を配置すると、ガイドレール２が上下方向に大形化するのを防止でき、壁開口や仕切り開口の上下寸法を定常寸法に収めることができる。これにより、定寸化された既製の戸パネル１を問題なく使用でき、戸パネル１やガイドレール２などの全体コストが少なくて済む引戸の閉じ支援装置を得ることができる。エアーダンパー９およびランナー５と自閉機構とは、それぞれ第１レール２Ａと第２レール２Ｂに分けて配置したので、レール内空間に多くの部品が組み込まれるのを避けることができ、その分だけ施工現場におけるエアーダンパー９、ランナー５、自閉機構などの組立作業を簡便化できる。
【００１９】
アシストばね４２を収容する第１枠５２と、第１枠５２と共に第２レール２Ｂに締結固定される第２枠５３とで内枠４０を構成し、両枠５２・５３、および第２枠５３に設けたガイドリブ５６などで連動ピース４１を移行案内し、ガイドリブ５６の一部に設けた掛止部５７に連動ピース４１の掛止片４７を係止固定する閉じ支援装置によれば、アシストばね４２と連動ピース４１とを第１枠５２の上下に分離配置して、両者４１・４２の動作干渉を一掃でき、その分だけ自閉機構の信頼性が向上する。基板４５に掛止ピン４６、掛止片４７、およびスライド突起４８を一体に形成し、その周縁に連結溝４９を形成することにより連動ピース４１を１個の部品として構成し、さらに連動ピース４１を案内するガイドリブ５６を利用してその一部に掛止部５７を設けるので、自閉機構の構成部品点数を少なくでき、その分だけ閉じ支援装置の全体コストを削減化できる。
【００２０】
アシストばね４２の一端をばね止具５１に装着し、ばね止具５１の締結位置を第１枠５２の調整溝５５に沿って位置変更できるようにすると、アシストばね４２の張力を大小に変更し、あるいはアシストばね４２の作動範囲を変更できるので、戸パネル１の重量や左右幅が変化する場合にも、アシストばね４２の張力や作動範囲を適値に調整変更することで、閉じ支援装置を共通して適用できる。
【００２１】
ランナー本体５Ａと連結ブロック５Ｂとでランナー５を構成し、ランナー本体５Ａと連結ブロック５Ｂとの間に連結凹部１９および連結突起２５と、ロック凹部２０およびロック爪２７とを設けるようにしたランナー構造によれば、ランナー本体５Ａと連結ブロック５Ｂとを互いに係合連結し、ロック凹部２０とロック爪２７とをロック係合操作するだけで、戸パネル１を建て込むことができ、施工現場における戸パネル１の建て込み作業がより少ない手間で簡便に行え、その分だけ施工に要するコストを削減できる。
【発明を実施するための最良の形態】
【００２２】
（実施例）  図１ないし図９は本発明に係る閉じ支援装置を適用した引戸の実施例を示す。図２において、符号１は引き違い開閉可能な戸パネル、２は上側のガイドレール、３は床面側のガイドレールである。戸パネル１の下端両隅には、床面側のガイドレール３で移行案内される戸車４を装着してある。戸パネル１の上端３箇所には、上側のガイドレール２で移行案内されるランナー５を配置してある。符号６は戸パネル１を開閉操作するための把手である。
【００２３】
上側のガイドレール２と戸パネル１との間には、戸パネル１を閉じ端寄りの所定位置で捕捉して強制的に閉じ操作する自閉機構と、自閉機構の閉じ操作力に抗して戸パネル１を制動するエアーダンパー９とが設けてある。
【００２４】
図５においてガイドレール２は、戸パネル１を開閉自在に案内する第１レール２Ａと、第１レール２Ａの一側に設けられる第２レール２Ｂとを備えたアルミニウム条材からなり、第１レール２Ａの内部に先のエアーダンパー９とランナー５を配置し、第２レール２Ｂの内部に自閉機構を配置する。この実施例では、各戸パネル１に対応して２個のガイドレール２を用意し、それぞれの第２レール２Ｂが互いに逆向きに突出する状態でガイドレール２を開口枠に装着した。
【００２５】
第１レール２Ａは下向きに開口する断面Ｃ字状のレールからなり、開口の両側にランナー５を案内するガイドリブ１１を対向状に張り出し形成してある。第２レール２Ｂは、第１レール２Ａよりひと回り小さな下向きに開口する断面Ｃ字状のレールからなり、両レール２Ａ・２Ｂは縦壁１２を共有している。第２レール２Ｂの開口一側には支持リブ１３が突設され、支持リブ１３と対向する縦壁１２の上下に一対の押えリブ１４と、受リブ１５とが張り出し形成されている。
【００２６】
ランナー５は、第１レール２Ａで往復スライド自在に案内支持されるランナー本体５Ａと、戸パネル１に装着固定される連結ブロック５Ｂとで構成する。ランナー本体５Ａは、その装着位置の違いに応じて３種類用意するが、基本構造は共通している。基本構造部分は左右横長の矩形ブロックからなり、その内外周面に先のガイドリブ１１で案内されるスライド溝１８を形成し、ブロック内面に下面側が開口するＴ字状の連結凹部１９を備えている。連結凹部１９は一側端において開口しており、他側端は端壁で塞がれている。連結凹部１９の開口寄り上壁にはロック凹部２０を形成してある（図４参照）。
【００２７】
図３および図４において戸パネル１の閉じ端側に装着されるランナー本体５Ａは、基本構造部分のみからなり、その上面でピストンロッド３３を支持する。戸パネル１の中途部に装着されるランナー本体５Ａは、基本構造に加えて、その上面一側にエアーダンパー９を支持する円筒状のホルダー２２が付加されている。さらに、開放端側に装着されるランナー本体５Ａは、その下面一側に自閉機構を構成する切換体２３が一体に形成してある。その詳細は後述する。
【００２８】
図４において連結ブロック５Ｂは、先の連結凹部１９に嵌め込む断面エ字状のブロック本体（連結突起）２５と、ブロック本体２５の下面に突設される２個の係合軸２６と、ブロック本体２５の一側に設けたロック爪２７とを一体に備えている。ブロック本体２５をランナー本体５Ａの連結凹部１９の奥端まで差し込み係合することにより、ロック爪２７がロック凹部２０に落とし込み係合して、ブロック本体２５とランナー本体５Ａとを分離不能にロック保持する。係合軸２６は、戸パネル１の上端面に形成した装着穴に対して、上下動自在に差し込み装填してある。
【００２９】
エアーダンパー９は、シリンダー３１、ピストン３２、およびピストンロッド３３を備えており、ピストンロッド３３がシリンダー３１内へ退縮するとき、ピストン３２で押し出される空気の出口通路を絞ることによって、自閉機構のアシストばね４２の閉じ操作力を減殺し、戸パネル１の閉じ動作を制動する。シリンダー３１の一端は、先に説明したホルダー２２で固定支持されており、他端側はガイドリブ１１上を転動する一対のローラー３４で支持してある。
【００３０】
ピストンロッド３３の突端には鉄片３５を固定してあり、この鉄片３５を吸着する磁石３６が、戸枠に固定したソケット３７の内部に配置してある。閉じ位置にある戸パネル１を開放操作するとき、ピストンロッド３３は鉄片３５を介して磁石３６に吸着保持されている。シリンダー３１が開放方向へ移動して、ピストンロッド３３が限界位置まで伸出すると鉄片３５が磁石３６から分離し、その状態のままで戸パネル１に同行移動する。
【００３１】
自閉機構は、第１レール２Ａの内部に組み込まれる内枠４０と、内枠４０で往復移動自在に案内支持される連動ピース４１と、連動ピース４１を閉じ位置へ向かって移動付勢するアシストばね４２と、連動ピース４１の姿勢を連結待機姿勢と連結姿勢とに切り換え操作する切換体４３と、アシストばね４２の張力を大小に調整するための調整機構などで構成する。
【００３２】
図６において連動ピース４１は、横長四角形状の基板４５と、基板４５の片面に突設した掛止ピン４６と、基板４５の他面に突出形成した掛止片４７、およびスライド突起４８とを一体に備えている。基板４５の周縁には、優弧状の連結溝４９が形成してある。この連結溝４９に後述する操作ピン６１が係脱することによって、連動ピース４１の姿勢を連結待機姿勢と連結姿勢とに切り換えることができる。
【００３３】
掛止片４７およびスライド突起４８は長方形状の突起からなり、連動ピース４１が閉じ移動するときのスライド姿勢を安定化することにも役立っている。アシストばね４２は引っ張りコイル形のばねからなり、その一端が掛止ピン４６に掛止され、他端がばね止具５１に掛止されている。
【００３４】
内枠４０は、アシストばね４２を収容する第１枠５２と、第１枠５２と共に第２レール２Ｂに締結固定される第２枠５３とで構成されている。第１枠５２は、上向きに開口する断面がコ字状の枠体からなり、その底壁に掛止ピン４６の往復スライドを許すピン溝５４と、ばね止具５１用の調整溝５５とを形成してある。
【００３５】
第２枠５３は断面逆Ｌ字状の枠体からなり、縦壁の下端内面側に掛止片４７およびスライド突起４８を移行案内するガイドリブ５６が突設してある。ガイドリブ５６は連動ピース４１の往復移動範囲に限って設けてあり、その開放端側の側端部分が掛止片４７を係止固定するための掛止部５７になっている。
【００３６】
連動ピース４１、アシストばね４２、内枠４０の三者は一体に組み付けられてユニット部品化してある。詳しくは、第２枠５３に連動ピース４１とばね止具５１を装着し、両者の間にアシストばね４２を掛け止めたうえで、第２枠５３を第１枠５２の内面にあてがって、両枠５２・５３を第２枠５３の外面側からねじ込まれるビス５８で締結することにより、各部材をユニット部品化している。この状態の内枠４０を、図７に示すように第２レール２Ｂ内に装填し、両者をビス６７で締結することにより、内枠４０を第２レール２Ｂと一体化する。
【００３７】
先に説明したように、切換体４３は戸パネル１の開放端側に装着されるランナー本体５Ａと一体に形成する。詳しくは、ランナー本体５Ａを構成する左右横長の矩形ブロックの下面一側から三角形状の基壁６０を張り出し形成し、その突端上面に操作ピン６１を突設する。図５に示すように、基壁６０はガイドリブ１１および受リブ１５の下面を横切って第２レール２Ｂの開口に臨んでおり、したがって操作ピン６１は常に第２レール２Ｂ内を開閉移動して、連動ピース４１の姿勢を切り換える。
【００３８】
ばね止具５１は、アシストばね４２が掛止される掛止ピース６３と、調整溝５５を介して掛止ピース６３にねじ込まれる調整ビス６４とからなる。調整ビス６４を緩めて、掛止ピース６３の調整溝５５に対する固定位置を変更することにより、アシストばね４２の張力を大小に変更でき、戸パネル１の開閉ストロークの違いに対応できる。つまり、戸パネル１の大きさや重量の違いに応じて、アシストばね４２の張力、および作動範囲を適値に変更できる。
【００３９】
次に自閉機構およびエアーダンパー９の動作状況を説明する。図８に連動ピース４１が連結待機姿勢に切り換えられた状態を示す。この状態の戸パネル１は、閉じ位置から一定量以上開放されており、開閉いずれの側にも抵抗なく移動操作できる。エアーダンパー９は、ピストンロッド３３が伸び切って磁石３６から分離した状態になっており、制動力を発揮する状態にはない。連動ピース４１の掛止片４７はガイドリブ５６の掛止部５７と係合しており、そのため、アシストばね４２の張力が作用しているにもかかわらず、連動ピース４１は連結待機姿勢に保持されている。
【００４０】
上記の状態から、図８に矢印で示すように戸パネル１を閉じ操作すると、ランナー本体５Ａと一体に設けた切換体４３が連動ピース４１に接近し、その操作ピン６１が連動溝４９の開口内縁に接当する。このときの戸パネル１の開放位置が、本発明でいう「所定位置」である。所定位置を越えて戸パネル１をさらに開放操作すると、操作ピン６１が連動溝４９内へ入り込み、連動ピース４１の全体を、図１に示すように時計回転方向へ傾動操作して、掛止片４７と掛止部５７との係合状態を解除操作し、連動ピース４１を連結姿勢に切り換える。
【００４１】
連動ピース４１が連結姿勢に切り換わった状態では、連動ピース４１がアシストばね４２で閉じ方向へ引き寄せられるため、以後は閉じ操作する必要もなく、戸パネル１を強制的に閉じ操作できる。このとき、掛止片４７およびスライド突起４８は、図９に示すようにそれぞれの直線辺部がガイドリブ５６で受け止められて、連動ピース４１のスライド姿勢を安定化する。そのため、連結溝４９の操作ピン６１に対する係合深さが比較的浅いにもかかわらず、両者４９・６１の係合状態が解除されることはなく、戸パネル１を閉じ位置まで確実に同行操作することができる。
【００４２】
エアーダンパー９は、上記のように掛止片４７と掛止部５７とが係合解除操作された後に、その鉄片３５が磁石３６と接当してピストンロッド３３の移動を阻止する。その結果、シリンダー３１のみが閉じ方向へ移動して制動力を発生する。この制動力が常に一定であるのに対し、アシストばね４２の張力は徐々に小さくなる。そのため、エアーダンパー９の制動力は、戸パネル１が完全に閉じた状態におけるアシストばね４２の張力より、僅かに小さく設定しておくことが好ましく、そうすることにより戸パネル１をゆっくりと閉じ移動しながら、常に確実に閉じ状態に位置保持できる。
【００４３】
閉じ状態の戸パネル１を開き操作するとき、切換体４３は連動ピース４１をアシストばね４２の張力に逆らいながら同行操作する（図９参照）。このとき連動ピース４１には、アシストばね４２の張力によって、操作ピン６１を中心にして反時計回転方向のモーメントが作用している。そのため、図１に示すように掛止片４７の側端がガイドリブ５６の端部に達すると、連動ピース４１は反時計回転方向へ傾動し、掛止片４７が掛止部５７と落とし込み係合する。
【００４４】
引き続き戸パネル１を開き操作することにより、操作ピン６１は図８に示すように、連結溝４９に連続する辺部に乗り上がりながら連動ピース４１をさらに傾動操作し、掛止片４７を掛止部５７の基端側へスライド変位させて、連動ピース４１を連結待機姿勢に切り換える。この姿勢切り換えと殆ど同時に鉄片３５と磁石３６とが分離し、さらに操作ピン６１が連結溝４９から離脱するので、戸パネル１を抵抗なく開閉できるうえ、任意の開放位置に位置保持できる。
【００４５】
戸パネル１を建て込む際には、ユニット部品化した状態の内枠４０を予め第２レール２Ｂ内に装填し、３個のランナー本体５Ａを第１レール２Ａに装着しておく。各ランナー本体５Ａは、戸パネル１に組み付けた連結ブロック５Ｂの位置に応じて、概ね一致する位置に移動させておく。戸車４を下側のガイドレール３に嵌め込んで戸パネル１起立させ、各連結ブロック５Ｂと各ランナー本体５Ａとを左右に対向させる。
【００４６】
上記の状態で連結ブロック５Ｂを持ち上げ、ランナー本体５Ａを操作して連結凹部１９をブロック本体２５に差し込み係合することにより、ロック爪２７をロック凹部２０に落とし込み係合させる。同様にして、残る２個のランナー本体５Ａを連結ブロック５Ｂに係合することにより、戸パネル１を建て込むことができる。なお、連結ブロック５Ｂの係合軸２６は、戸パネル１に形成した装着穴に対して上下動できるので、戸パネル１の上下寸法や、開口枠の上下寸法に僅かなばらつきがあったとしても、問題なく戸パネル１を建て込むことができる。
【００４７】
本発明の閉じ支援装置は、戸パネル１が吊車型のランナー５で支持してある引戸にも適用できる。図１０に示すように、吊車型のランナー５は、第１レール２Ａの片側のガイドリブ１１で転動自在に案内支持されるランナーローラー７０と、ランナーローラー７０をローラー軸７１を介して遊転自在に軸支するランナー本体５Ａと、ランナー本体５Ａと戸パネル１とを連結するブラケット７２などで構成する。図示していないが、ブラケット７２は戸パネル１に対して着脱可能に連結してある。
【００４８】
上記の実施例と同様に、戸パネル１の中途部に装着されるランナー本体５Ａには、その上面一側にエアーダンパー９を支持する円筒状のホルダー２２が付加されている。さらに、開放端側に装着されるランナー本体５Ａには切換体２３が一体に形成してある。他は、先の実施例と同じであるので、同じ部材に同じ符号を付してその説明を省略する。
【００４９】
上記の実施例以外に、内枠４０は第１枠５２と第２枠５３とで構成する必要はなく、１個の枠体として構成することができる。同様にガイドレール２は各戸パネル１ごとに設ける必要はなく、一対のレールが一体化されたガイドレール２とすることができる。
【図面の簡単な説明】
【００５０】
【図１】自閉機構の横断平面図である。
【図２】引戸の正面図である。
【図３】引戸のランナー配置形態を示す正面図である。
【図４】エアーダンパーの支持構造を示す縦断正面図である。
【図５】図７におけるＡ―Ａ線断面図である。
【図６】自閉機構の分解斜視図である。
【図７】自閉機構を示す縦断正面図である。
【図８】自閉機構の動作(連結待機姿勢)を示す横断平面図である。
【図９】自閉機構の動作（連結姿勢）を示す横断平面図である。
【図１０】引戸の支持構造の別実施例を示す縦断側面図である。
【符号の説明】
【００５１】
１  戸パネル
２  ガイドレール
２Ａ  第１レール
２Ｂ  第２レール
３  ガイドレール
５  ランナー
５Ａ  ランナー本体
５Ｂ  連結ブロック
９  エアーダンパー
１９  連結凹部
２０  ロック凹部
２５  連結突起
２７  ロック爪
４０  内枠
４１  連動ピース
４２  アシストばね
４３  切換体
４５  基板
４６  掛止ピン
４７  掛止片
４８  スライド突起
４９  連結溝
５１  ばね止具
５２  第１枠
５３  第２枠
５４  ピン溝
５５  調整溝
５６  ガイドリブ
５７  掛止部
６１  操作ピン
【図１】
2006083569.tif 000003
【図２】
2006083569.tif 000004
【図３】
2006083569.tif 000005
【図４】
2006083569.tif 000006
【図５】
2006083569.tif 000007
【図６】
2006083569.tif 000008
【図７】
2006083569.tif 000009
【図８】
2006083569.tif 000010
【図９】
2006083569.tif 000011
【図１０】
2006083569.tif 000012